(57)【要約】      （修正有）【課題】対象物を傷つけたり、変形させることなく取り外しを容易にするコンビネーションプライヤ用の治具を提供する。【解決手段】プライヤ１０が有するくわえ部１４に取り付けられ、プライヤを用いて少なくとも取り外される対象物に接触する治具２０であって、対象物への対向面に、対象物が有する穴部に係合可能な突部２３が備えられている。対象物は、ビールディスペンサに備えられたビールコックに内蔵された弁機構を構成する構成部材であり、治具のコンビネーションプライヤに対する取付面は、くわえ部又はあご部の形状に対応した形状に構成されているのが好ましい。【選択図】図１
0003209067.tif 000002
【実用新案登録請求の範囲】
【請求項１】
コンビネーションプライヤが有するくわえ部又はあご部の開口幅が可変に構成されたレンチの前記あご部に取り付けられ、該コンビネーションプライヤ又は該レンチを用いて少なくとも取り外される対象物に接触する治具であって、
前記対象物への対向面に、前記対象物が有する穴部に係合可能な突部が備えられている治具。
【請求項２】
前記穴部は、前記対象物の周面に周方向に同一ピッチで複数備えられており、
前記突部は、少なくともいずれか一つの前記穴部に係合するように備えられている請求項１に記載の治具。
【請求項３】
前記穴部は、円形であり、
前記突部は、前記穴部へ挿通される先端側が前記穴部より細く、末端側が前記先端側より太くなるようなテーパーを有する形状である請求項１又は２に記載の治具。
【請求項４】
前記突部は、該治具の本体部とは別部材から構成されている請求項１から３のいずれか一項に記載の治具。
【請求項５】
前記突部は、前記穴部への係合深さが変更可能に構成されている請求項４に記載の治具。
【請求項６】
前記対象物が、ビールディスペンサに備えられたビールコックに内蔵された弁機構を構成する構成部材である請求項１から５のいずれか一項に記載の治具。
【請求項７】
前記構成部材とは異なる構成部材が有する被係合部に係合可能な係合部が備えられている請求項６に記載の治具。
【請求項８】
前記コンビネーションプライヤ又は前記レンチに対する取付面は、前記くわえ部又は前記あご部の形状に対応した形状に構成されている請求項１から７のいずれか一項に記載の治具。
【請求項９】
前記対向面から前記取付面に貫通する貫通穴が備えられている請求項８に記載の治具。
【請求項１０】
請求項１から９のいずれか一項に記載の治具が取り付けられたコンビネーションプライヤ。
【考案の詳細な説明】
【技術分野】
【０００１】
本考案は、コンビネーションプライヤが有するくわえ部又はあご部の開口幅が可変に構成されたレンチの前記あご部に取り付けられ、該コンビネーションプライヤ又は該レンチを用いて少なくとも取り外される対象物に接触する治具及び該治具が取り付けられたコンビネーションプライヤに関する。
【背景技術】
【０００２】
ビアホール、居酒屋等の店舗には、ジョッキにビールを注ぐビールディスペンサが設置されている。このようなビールディスペンサは、ビールコックを前面に備えるとともに冷却装置が内蔵されたディスペンサ本体と、ディスペンサ本体に供給するビールが詰められたビール樽と、ビール樽に供給する炭酸ガスが充填されているガスボンベと、を備えており、ビールコックの操作レバーを操作すると、ガスボンベから炭酸ガスによって内部の圧力が高められたビール樽内のビールがビールコックへと圧送されジョッキに注ぎだされる。
【０００３】
このようなビールコックの一例として、特許文献１には、ディスペンサ本体の前面に設けられたコック本体と、コック本体に形成されたビール流路と、該ビール流路にスライド可能に内挿された弁棒と、弁棒の端部に形成され、ビール流路を開放又は閉塞してビール又は泡の注ぎだし、停止を制御する弁体と、弁体の開放又は閉塞を操作する操作レバーと、が備えられたビールコックが開示されている。
【０００４】
該ビールコックは、操作レバーを手前又は奥方向へ傾倒して適量のビールをジョッキに注ぎだした後、該操作レバーを反対方向へ傾倒することで、前記ジョッキ中のビールに、さらに泡を注ぎ足すことができるように構成されている。操作レバーの操作に応じて、ビールの注ぎだしと泡の注ぎだしとを可能とするために、ビールコックは多数の部品が組み合わされた複雑な構成となっている。
【先行技術文献】
【特許文献】
【０００５】
【特許文献１】特開２００２−２８８６号公報
【考案の概要】
【考案が解決しようとする課題】
【０００６】
ビールの品質の維持や、衛生上の観点から、ビールコックは定期的に分解され洗浄される。その際、弁機構を構成する各部品どうしの分解は店員の手作業によって行われる。
【０００７】
螺合によって他の部品に組み合わされた、取り外そうとする対象物を、手でつかんで取り外そうとしても、ビールによって濡れていると滑ってしまい上手く取り外せないことがあった。
【０００８】
このような滑りを防ぐためには、コンビネーションプライヤ（以下、プライヤという。）のような工具を用いて取り外そうとする対象物を強くつかむことが考えられるが、そうすると対象物に傷をつけたり、変形を生じさせたりする虞があった。
【課題を解決するための手段】
【０００９】
本考案は上記実情に鑑みてなされたものであって、対象物の取り外しを容易にする治具及び該治具が取り付けられたコンビネーションプライヤを提供することを目的とする。
【００１０】
上述の目的を達成するため、本考案に係る治具の特徴構成は、コンビネーションプライヤが有するくわえ部又はあご部の開口幅が可変に構成されたレンチの前記あご部に取り付けられ、該コンビネーションプライヤ又は該レンチを用いて少なくとも取り外される対象物に接触する治具であって、前記対象物への対向面に、前記対象物が有する穴部に係合可能な突部が備えられている点にある。
【００１１】
上述の構成よれば、コンビネーションプライヤ又はあご部の開口幅が可変に構成されたレンチに取り付けられた治具の突部が、対象物の穴部に係合する態様によって係合されるため、対象物を強くつかまなくても滑ることがなくなる。したがって、対象物を、傷つけたり変形を生じさせたりすることなく、容易に取り外すことができる。なお、この治具は、取り外した対象物を再び取り付けるときにも使用することができる。
【００１２】
本考案においては、前記穴部は、前記対象物の周面に周方向に同一ピッチで複数備えられており、前記突部は、少なくともいずれか一つの前記穴部に係合するように備えられていると好適である。
【００１３】
上述の構成によれば、治具に突部が少なくとも一つ備えられていれば、対象物に備えられた複数の穴部のいずれかに係合させることができる。対象物を安定的に取り外す観点からは、突部は穴部と同数であることが好ましい。
【００１４】
本考案においては、前記穴部は、円形であり、前記突部は、前記穴部へ挿通される先端側が前記穴部より細く、末端側が前記先端側より太くなるようなテーパーを有する形状であると好適である。
【００１５】
コンビネーションプライヤのくわえ部は、コンビネーションプライヤを構成する一対の本体どうしを結合する結合部を回動中心として閉じる。また、あご部の開口幅が可変に構成されたレンチのあご部は、開口幅が狭くなるように閉じる。上述の構成によれば、コンビネーションプライヤ又はあご部の開口幅が可変に構成されたレンチに取り付けられた該治具によって、対象物をくわえようとしたときに、突部は、くわえ部又はあご部の移動に伴って、穴部より細く構成された先端側から穴部に挿通される。このような態様によって、突部と穴部とが円滑に係合することができる。
【００１６】
本考案においては、前記突部は、該治具の本体部とは別部材から構成されていると好適である。
【００１７】
上述の構成によれば、たとえば突部が磨耗などによって破損したときや、穴部の大きさや形状に応じて、別の大きさや形状を有する突部に取り替えることができる。
【００１８】
本考案においては、前記突部は、前記穴部への係合深さが変更可能に構成されていると好適である。
【００１９】
上述の構成によれば、突部の穴部への係合深さを適当に調節することによって、突部を穴部に確実に係合させることができる。
【００２０】
本考案においては、前記対象物が、ビールディスペンサに備えられたビールコックに内蔵された弁機構を構成する構成部材であると好適である。
【００２１】
上述の構成によれば、ビールディスペンサに備えられたビールコックに内蔵された弁機構を構成する構成部材を容易に取り外すことができる。
【００２２】
本考案においては、前記構成部材とは異なる構成部材が有する被係合部に係合可能な係合部が備えられていると好適である。
【００２３】
上述の構成によれば、一つの治具によって二種類の構成部材を取り外すことができる。
【００２４】
本考案においては、前記コンビネーションプライヤ又は前記レンチに対する取付面は、前記くわえ部又は前記あご部の形状に対応した形状に構成されていると好適である。
【００２５】
通常、コンビネーションプライヤのくわえ部やあご部の開口幅が可変に構成されたレンチのあご部は、たとえば六角ナットや六角ボルトの角部に係合可能な形状を有している。上述の構成によれば、治具に、くわえ部又はあご部の形状に対応した形状を備えることで、治具のコンビネーションプライヤ又はあご部の開口幅が可変に構成されたレンチに対する取り付け姿勢が安定する。
【００２６】
本考案においては、前記対向面から前記取付面に貫通する貫通穴が備えられていると好適である。
【００２７】
上述の構成によれば、治具を、螺子穴を介してコンビネーションプライヤ又はあご部の開口幅が可変に構成されたレンチにビス止めすることによって、コンビネーションプライヤ又はあご部の開口幅が可変に構成されたレンチに取り付けた治具が、コンビネーションプライヤ又はあご部の開口幅が可変に構成されたレンチから意図せずに外れる虞がなくなる。なお、この場合は、コンビネーションプライヤ又はあご部の開口幅が可変に構成されたレンチに、ビス用の螺子穴が必要である。
【００２８】
上述の目的を達成するため、本考案に係るコンビネーションプライヤの特徴構成は、上述のいずれかの特徴構成を備えた治具が取り付けられた点にある。
【００２９】
上述の構成よれば、コンビネーションプライヤに取り付けられた治具の突部が、対象物の穴部に係合する態様によって係合されるため、対象物を強くつかまなくても滑ることがなくなる。したがって、対象物を、傷つけたり変形を生じさせたりすることなく、容易に取り外すことができる。なお、この治具は、取り外した対象物を再び取り付けるときにも使用することができる。
【図面の簡単な説明】
【００３０】
【図１】本考案に係る治具及びコンビネーションプライヤの概略図
【図２】本考案に係る治具及びコンビネーションプライヤの概略図
【図３】本考案に係る治具の斜視図
【図４】本考案に係る治具の側面図
【図５】本考案に係る治具の斜視図
【図６】本考案に係るコンビネーションプライヤを用いて対象物をくわえる様子の説明図
【図７】本考案に係るコンビネーションプライヤが対象物をくわえた様子の側面図
【図８】別実施形態に係る治具の説明図
【考案を実施するための形態】
【００３１】
以下に本考案を実施するための形態について図面を参照しながら説明する。
【００３２】
図１には、本考案に係るコンビネーションプライヤ１０（以下、プライヤ１０という。）が示されている。プライヤ１０には、本考案に係る治具２０が取り付けられている。
【００３３】
プライヤ１０及び治具２０は、図６に示すように、ビールディスペンサに備えられたビールコック１に内蔵された弁機構２を構成する構成部材３を少なくとも取り外すために用いられる。
【００３４】
ビールコック１は、レバー４の操作に応じて、ビール用注ぎ口５からビールを注ぎだしたり、泡用注ぎ口６から泡を注ぎだしたりできるように、内部の流路が切り替え可能に構成されている。
【００３５】
上記のようなビールや泡の注ぎだしを実現するために弁機構２は、多数の部材を備えた複雑な構成となっている。弁機構２は、複数の構成部材３、すなわち、流路構成体３ａ，コイルバネ３ｂ，弁体３ｃ，シャフト３ｄなどから組み立てられる。少なくとも流路構成体３ａは、シャフト３ｄ側に螺合されている。
【００３６】
流路構成体３ａは、筒状の部材であり、周面に周方向に複数の、本実施形態においては四つの円形の穴部３ｅが同一ピッチで複数備えられている。この穴部３ｅは、ビール乃至泡の流路を構成する。流路構成体３ａが、本考案に係る治具２０及び治具２０が取り付けられたプライヤ１０によって取り外される対象物である。
【００３７】
プライヤ１０について説明する。図１及び図２に示すように、プライヤ１０は、本体１１，１２と、リベット留めやボルト・ナットなどから構成され本体１１，１２を回動可能に結合する結合部１３とを備えて構成されている。本体１１，１２は、合金か非合金工具鋼、たとえば炭素を含有した工具鋼の鍛造品である。
【００３８】
プライヤ１０は、結合部１３の一方にくわえ部１４が備えられ、他方にもち手部１５が備えられ、もち手部１５の開閉に応じて、くわえ部１４が結合部１３を回動軸心として開閉し、流路構成体３ａをくわえることができるように構成されている。
【００３９】
物をくわえるにあたって、小さなものはくわえ部１４の先端部１４ａを用い、大きなもの、たとえば流路構成体３ａはくわえ部１４に備えられた凹部１４ｂを用いる。針金や細いケーブルなどは、結合部１３寄りの挟み部１４ｃを用いて切断することができる。
【００４０】
結合部１３の軸部は、本体１１には相対的な移動をしないように固定的に設けられるが、本体１２に対しては本体１２に設けられた長孔１３ａに挿通される態様となっている。したがって、本体１２は本体１１に対してスライド可能に構成され、結合部１３において本体１２をスライドさせることによって、プライヤ１０はくわえ部１４の開き方を狭い状態又は広い状態の異なる状態に選択的に変更可能である。
【００４１】
したがって、プライヤ１０は、くわえるものが小さなものである場合は、くわえ部１４の開き方が狭い状態で使用することができる。なお、この状態においては、くわえ部１４を閉じたときに本体１１，１２どうしは接触する。一方、プライヤ１０は、くわえるものが大きなものである場合は、くわえ部１４の開き方が広い状態で使用することができる。なお、この状態においては、くわえ部１４を閉じたときに本体１１，１２どうしは接触しない。本実施形態においては、図６及び図７に示すように、くわえ部１４の開き方が広い状態としたプライヤ１０に対して治具２０が取り付けられ、その状態で使用される。
【００４２】
図１及び図２に示すように、本考案に係る治具２０は、プライヤ１０が有するくわえ部１４に取り付けられるものである。治具２０は、取り外そうとする対象物に接触した際に、対象物に傷をつけたり、変形を生じることがないような材料から構成されている。材料としては、入手及び製作のしやすさ、使用時における機械的強度、繰り返しての使用することへの耐久性、使用時の衛生面などを勘案し、たとえばＰＯＭ（ポリアセタール）のような合成樹脂が好ましく例示できる。ただし、これに限らず、ステンレス鋼のような材料であってもよい。
【００４３】
本実施形態においては、治具２０は、本体１１及び本体１２の両方に取り付けられている。本体１１側に取り付けられる治具２０も本体１２側に取り付けられる治具２０も同一の形状をしている。これにより、治具２０を、射出成型などによって製造する際の金型が減らせ、また、本体１１及び本体１２の区別が不要となっている。
【００４４】
図３から図５に示すように、治具２０は、流路構成体３ａに対する対向面２１と、その裏面にプライヤ１０への取付面２２とを備えている。
【００４５】
対向面２１は、流路構成体３ａが有する穴部３ｅに係合可能な二つの突部２３が備えられている。したがって、本体１１，１２のそれぞれに治具２０が取り付けられたプライヤ１０には、四つの突部２３が備えられることとなる。
【００４６】
突部２３は、流路構成体３ａに備えられた円形の穴部３ｅへ挿通される先端側が穴部３ｅより細く、末端側が先端側より太くなるようなテーパーを有する形状に構成されている。
【００４７】
図７に示すように、プライヤ１０のくわえ部１４は結合部１３を回動中心として閉じる（図２参照）。突部２３をテーパーを有する形状に構成することによって、プライヤ１０に取り付けられた治具２０によって、流路構成体３ａをくわえるにあたって、突部２３は、くわえ部１４の移動に伴って、穴部３ｅより細く構成された先端側から穴部３ｅに挿通される。このような態様によって、突部２３と穴部３ｅとが円滑に係合する。
【００４８】
プライヤ１０のくわえ部１４は、たとえばくわえようとする六角ナットや六角ボルトの角部に係合可能な形状、本実施形態においてはギザギザ形状を有している。取付面２２は、プライヤ１０のくわえ部１４の形状に対応した形状に構成されている。このように、治具２０に、くわえ部１４の形状に対応した形状を備えることで、治具２０のプライヤ１０に対する取り付け姿勢が安定する。
【００４９】
治具２０は、突部２３，２３の間の対向面から取付面に貫通する貫通穴２４が備えられている。貫通穴２４は座ぐりを有している。図２に示すように、治具２０を、貫通穴２４を介してプライヤ１０に設けられた螺子穴１４ｅにビス１６によって螺着されることによって、プライヤ１０に取り付けた治具２０が、プライヤ１０から意図せずに外れる虞がなくなる。
【００５０】
治具２０は、プライヤ１０に対して、上記ビス止めする構成に限らない。たとえば、治具２０を構成する合成樹脂の弾性のみによって、プライヤ１０に対する取り付け姿勢が固定される構成であってもよい。また、治具２０を構成する材料に応じた接着剤によってプライヤ１０に対する取り付け姿勢が固定される構成であってもよい。
【００５１】
本実施形態においては、治具２０は、くわえ部１４の先端に対応する部分に、流路構成体３ａとは異なる構成部材３が有する被係合部に係合可能な係合部２５が備えられている。一つの治具２０によって少なくとも二種類の構成部材３を取り外すことができる。
【００５２】
上述の実施形態においては、治具２０は、流路構成体３ａが備える四つの穴部３ｅにそれぞれ係合可能なように二つの突部２３を有する構成について説明したが、突部２３の数は一つ以上であればよい。少なくともいずれか一つの穴部３ｅに係合できればよい。この場合、突部２３の位置は、図３から図５に示す位置に限らず、たとえば対向面２１の中央であってもよい。また、突部２３はテーパーを有する形状をしていなくてもよい。すなわち穴部３ｅに挿通可能な大きさや形状であればよい。
【００５３】
上述した実施形態においては、プライヤ１０は本体１１，１２のそれぞれに同じ形状の治具２０が取り付けられていたが、これに限らない、本体１１，１２とで取り付けられる治具２０の形状を異ならせてもよい。たとえば、本体１１に取り付けられる治具２０のみに突起が一つ又は二つ備えられ、本体１２に取り付けられる治具２０には突起が備えられていない構成であってもよい。
【００５４】
上述の構成よれば、プライヤ１０に取り付けられた治具２０の突部２３が、流路構成体３ａの穴部３ｅに係合されるため、流路構成体３ａを強くつかまなくても滑ることがなくなる。したがって、流路構成体３ａを、傷つけたり変形を生じさせたりすることなく、容易に取り外すことができる。なお、治具２０は、流路構成体３ａを取り外すためにのみ用いてもよいし、さらに、取り外した流路構成体３ａを取り付けるために用いることもできる。
【００５５】
上述の実施形態においては、突部２３は、治具２０と一体形成されていたが、これに限らない。図８に示すように、治具２０の本体部２６と、突部２７とを別部材から構成してもよい。たとえば突部２７が磨耗などによって破損したときや、流路構成体３ａの穴部３ｅの大きさや形状に応じて、別の大きさや形状を有する突部に取り替えることができる。
【００５６】
その際、突部２７はおねじ部２７ａを備え、本体部２６に備えられためねじ部２６ａに対する螺着の程度を調節することによって、本体部２６からの突出高さ、すなわち穴部３ｅへの係合深さが変更可能に構成されていてもよい。突部２７の穴部３ｅへの係合深さを適当に調節することによって、突部２７を穴部３ｅに確実に係合させることができる。
【００５７】
上述した実施形態においては、本考案に係る治具２０を用いて取り外される対象物は、ビールディスペンサに備えられている構成部材３である場合について説明したが、これに限らない。本考案に係る治具２０を用いて取り外される対象物は、ビールディスペンサ以外の装置に備えられる、筒状の部材であって周面に周方向に一つ以上の穴部が備えられている部材であってもよい。
【００５８】
上述した実施形態においては、くわえ部１４の開き方が広い状態としたプライヤ１０に対して治具２０が取り付けられ、プライヤ１０はその状態で使用される場合について説明したが、これに限らない。取り外される対象物の大きさに応じて、本考案に係る治具２０が取り付けられたプライヤ１０のくわえ部１４は開き方が狭い状態で使用されてもよい。
【００５９】
上述した実施形態においては、本考案に係る治具２０がプライヤ１０のくわえ部１４に取り付けられる場合を例に説明したが、これに限らない。本考案に係る治具２０は、ウォーターポンププライヤのようなプライヤのくわえ部や、あご部の開口幅が可変に構成されたレンチ、たとえばモンキーレンチのあご部に取り付けられてもよい。
【００６０】
上述した実施形態は、いずれも本考案の一例であり、該記載により本考案が限定されるものではなく、各部の具体的構成は本考案の作用効果が奏される範囲で適宜変更設計が可能である。
【符号の説明】
【００６１】
１        ：ビールコック
２        ：弁機構
３        ：構成部材
３ａ      ：流路構成体（対象物）
３ｅ      ：穴部
１０      ：プライヤ（コンビネーションプライヤ）
１１      ：本体
１２      ：本体
１４      ：くわえ部
１４ａ    ：先端部
１４ｂ    ：凹部
１５      ：手部
２０      ：治具
２１      ：係合部
２２      ：取付部
２３      ：突部
２４      ：貫通穴
２５      ：係合部
２６      ：本体部
２７      ：突部
【図１】
0003209067.tif 000003
【図２】
0003209067.tif 000004
【図３】
0003209067.tif 000005
【図４】
0003209067.tif 000006
【図５】
0003209067.tif 000007
【図６】
0003209067.tif 000008
【図７】
0003209067.tif 000009
【図８】
0003209067.tif 000010